(57)【要約】【課題】より簡単な構成の装置により、表示ムラを十分にかつ速やかに抑制する。【解決手段】映像出力装置１０は、映像信号Ｖ１〜Ｖ３を液晶表示装置１００に出力しない非表示期間において、レベル調整部２００〜４００のそれぞれに第１の基準信号Ｖｒｅｆ１を入力する。そして、第１の基準信号Ｖｒｅｆ１を入力した際にレベル調整部から出力される対照信号Ｓｘを、第１の基準信号Ｖｒｅｆ１に対応する第２の基準信号Ｖｒｅｆ２と比較して、対照信号Ｓｘが第２の基準信号Ｖｒｅｆ２に向かって調整されるようにレベル調整部２００〜４００の調整量を増大あるいは減少させる。この調整量の増減量は、調整量が補正される期間のうちの、第１の期間よりも、第１の期間の後の第２の期間においてより小さく設定される。【選択図】図２
2010122577.tif 000002
【特許請求の範囲】
【請求項１】
一画面を複数のチャネルに分割して駆動する表示装置に映像信号を出力する映像出力装置であって、
前記複数のチャネルのそれぞれについて設けられ、チャネル毎に入力される映像信号のレベルを調整して前記表示装置に出力する複数のレベル調整部と、
前記映像信号を前記表示装置に出力しない非表示期間において、前記レベル調整部のそれぞれに第１の基準信号を入力する基準信号入力部と、
前記第１の基準信号を入力した際に前記レベル調整部から出力される対照信号のそれぞれを、前記第１の基準信号に対応する第２の基準信号と比較して、前記対照信号が前記第２の基準信号に向かって調整されるように前記レベル調整部のそれぞれの調整量を増大あるいは減少させる調整量補正部と、
前記調整量の補正が行われる期間のうち、第１の期間における前記調整量の増減量よりも、前記第１の期間の後の第２の期間における前記調整量の増減量を小さくする増減量低減部と
を備える映像出力装置。
【請求項２】
請求項１記載の映像出力装置であって、
前記第１の期間は、前記対照信号が前記第２の基準信号に到達するまでの期間であり、前記第２の期間は、前記到達の後の期間である
映像出力装置。
【請求項３】
請求項２記載の映像出力装置であって、
前記調整量補正部は、前記対照信号のそれぞれと前記第２の基準信号とを比較し、前記対照信号と前記第２の基準信号との大小関係を判定する信号比較器を有しており、
前記増減量低減部は、前記信号比較器により判定された前記対照信号と前記第２の基準信号との大小関係が反転した場合に、前記対照信号が前記第２の基準信号に到達したと判断して前記増減量を低減する
映像出力装置。
【請求項４】
請求項１ないし３のいずれか記載の映像出力装置であって、
前記増減量は、前記調整量として補正しうる最小補正量の整数倍であって、
前記増減量低減部は、前記最小補正量に対する倍率を低減することにより前記増減量を低減する
映像出力装置。
【請求項５】
請求項４記載の映像出力装置であって、
前記調整量補正部は、前記増減量に応じた数のパルスを前記レベル調整部に供給し、
前記レベル調整部は、前記パルスの入力ごとに前記最小補正量で前記調整量を増減する
映像出力装置。
【請求項６】
請求項５記載の映像出力装置であって、
前記増減量低減部は、前記倍率を前記到達の前の１／２倍にすることにより前記増減量を低減する
映像出力装置。
【請求項７】
請求項１ないし６のいずれか記載の映像出力装置であって、
前記レベル調整部のそれぞれは、
映像入力信号であるデジタル信号をアナログ信号に変換するデジタル／アナログ変換器を備え、
前記調整量補正部は、前記デジタル／アナログ変換器におけるゲインおよびオフセットの少なくとも一つを調整することにより前記映像信号のレベルの調整を行う
映像出力装置。
【請求項８】
請求項１ないし７のいずれか記載の映像出力装置であって、
前記非表示期間は、前記表示装置における表示開始前の準備期間を含み、
前記調整量補正部による調整量の増減は、前記準備期間中に複数回実行される
映像出力装置。
【請求項９】
請求項１ないし８のいずれか記載の映像出力装置であって、
前記非表示期間は、垂直帰線期間を含む
映像出力装置。
【請求項１０】
一画面を複数のチャネルに分割して駆動する表示装置と、前記表示装置に映像信号を出力する映像出力装置とを有するプロジェクタであって、
前記映像出力装置は、
前記複数のチャネルのそれぞれについて設けられ、前記表示装置に出力する映像信号のレベルを調整する複数のレベル調整部と、
前記映像信号を前記表示装置に出力しない非表示期間において、前記レベル調整部のそれぞれに第１の基準信号を入力する基準信号入力部と、
前記第１の基準信号を入力した際に前記レベル調整部から出力される対照信号のそれぞれを、前記第１の基準信号に対応する第２の基準信号と比較して、前記対照信号が前記第２の基準信号に向かって調整されるように前記レベル調整部のそれぞれの調整量を増大あるいは減少させる調整量補正部と、
前記調整量の補正が行われる期間のうち、第１の期間における前記調整量の増減量よりも、前記第１の期間の後の第２の期間における前記調整量の増減量を小さくする増減量低減部と
を備える映像出力装置。
【請求項１１】
一画面を複数のチャネルに分割して駆動する表示装置に映像信号を出力する映像出力方法であって、
前記映像信号を前記表示装置に出力しない非表示期間において、前記複数のチャネルのそれぞれについて設けられ、前記表示装置に出力する映像信号のレベルを調整する複数のレベル調整部のそれぞれに第１の基準信号を入力し、
前記第１の基準信号を入力した際に前記レベル調整部から出力される対照信号のそれぞれを、前記第１の基準信号に対応する第２の基準信号と比較して、前記対照信号が前記第２の基準信号に向かって調整されるように前記レベル調整部のそれぞれの調整量を増大あるいは減少させ、
前記調整量の補正が行われる期間のうち、第１の期間における前記調整量の増減量よりも、前記第１の期間の後の第２の期間における前記調整量の増減量を小さくする
映像出力方法。
【発明の詳細な説明】
【技術分野】
【０００１】
本発明は、一画面を複数チャネルに分割して駆動する表示装置に映像信号を出力する映像出力技術に関する。
【背景技術】
【０００２】
アクティブマトリックス方式の液晶ディスプレイにおいては、水平方向および垂直方向に配列された画素を走査することにより選択し、選択された画素を構成する電極（画素電極）に外部から入力された映像信号が印加する書込が行われる。この映像信号の書込時間は、画素電極の対向電極に対する電圧と、映像信号の電圧とがほぼ同じとなるようにするため短縮を図ることが困難である。そのため、水平方向や垂直方向の画素数が多くなると、画素電極の走査に時間がかかり表示の更新頻度を高くすることができない。そこで、アクティブマトリックス方式の液晶ディスプレイでは、例えば水平方向に画素を複数チャネルに分割して、複数のチャネルに対してほぼ同時に書込を行うことが行われている。
【０００３】
このように、複数のチャネルに書き込みを行う場合、チャネルごとに映像信号を供給する出力回路の出力レベルが異なっていると、同一の入力に対して書き込まれる映像信号の電圧に差異が生じ、チャネルごとに表示される階調が異なる表示ムラが発生する。そこで、表示ムラの発生を抑えるために、チャンネル毎に設けられた出力回路をレベル調整が可能なものとし、各出力回路に基準信号を入力した際の出力を予め用意した基準データと比較し、その比較結果に応じて対応する出力回路のレベル調整量を補正することが提案されている（例えば、特許文献１）。
【０００４】
【特許文献１】特開平５−１５０７５１号公報
【０００５】
しかしながら、このようなレベルの調整方法を実現するためには、基準データと比較するためのデータを取得するため、各出力回路からの出力を高速なアナログ／デジタル（Ａ／Ｄ）変換器を用いる必要がある。高速Ａ／Ｄ変換器は、分解能（ビット数）を高くすると回路規模が急激に増大する。そのため、表示ムラを十分に抑制のため十分な精度でレベル調整量を補正するためには、映像出力装置全体の構成が複雑化するという問題があった。一方、映像出力装置の構成を簡略化するため、回路規模の小さいＡ／Ｄ変換器を用いると、Ａ／Ｄ変換に要する時間が増大してレベルの調整に要する時間が長くなる。この問題は、映像信号のレベルに応じて個々の画素の光学状態が決定され、複数チャネルで駆動する表示装置であれば、アクティブマトリックス方式の液晶ディスプレイに限らず、その他の方式の液晶ディスプレイや、有機ＥＬディスプレイ、プラズマディスプレイ等に共通する問題である。
【発明の開示】
【発明が解決しようとする課題】
【０００６】
本発明は、上述した従来の課題を解決するためになされたものであり、より簡単な構成の装置により、表示ムラを十分にかつ速やかに抑制することを目的とする。
【課題を解決するための手段】
【０００７】
上記課題の少なくとも一部を解決するために、本発明は、以下の形態または適用例として実現することが可能である。
【０００８】
［適用例１］
一画面を複数のチャネルに分割して駆動する表示装置に映像信号を出力する映像出力装置であって、
前記複数のチャネルのそれぞれについて設けられ、チャネル毎に入力される映像信号のレベルを調整して前記表示装置に出力する複数のレベル調整部と、
前記映像信号を前記表示装置に出力しない非表示期間において、前記レベル調整部のそれぞれに第１の基準信号を入力する基準信号入力部と、
前記第１の基準信号を入力した際に前記レベル調整部から出力される対照信号のそれぞれを、前記第１の基準信号に対応する第２の基準信号と比較して、前記対照信号が前記第２の基準信号に向かって調整されるように前記レベル調整部のそれぞれの調整量を増大あるいは減少させる調整量補正部と、
前記調整量の補正が行われる期間のうち、第１の期間における前記調整量の増減量よりも、前記第１の期間の後の第２の期間における前記調整量の増減量を小さくする増減量低減部と
を備える映像出力装置。
【０００９】
この適用例によれば、レベル調整部の調整量を対照信号と第２の基準信号との比較結果に基づいて増減することにより、対照信号が第２の基準信号に向かって調整される。そのため、より簡単な構成で調整量を補正することが可能となる。また、第１の期間においては大きな増減量により調整量が補正され、第２の期間においては小さな増減量により調整量が補正される。そのため、調整量の補正をより速やかに行うとともに調整量の補正精度をより高くすることができる。その結果、表示ムラを十分にかつ速やかに抑制することが可能となる。
【００１０】
［適用例２］
適用例１記載の映像出力装置であって、
前記第１の期間は、前記対照信号が前記第２の基準信号に到達するまでの期間であり、前記第２の期間は、前記到達の後の期間である
映像出力装置。
【００１１】
対照信号が第２の基準信号に到達する前は大きな増減量により調整量が補正され、対照信号が第２の基準信号に到達した後は小さな増減量により調整量が補正される。そのため、大きな増減量での調整量の補正が行われる第１の期間をより短くすることができる。そのため、精度の高い調整量の補正をより速やかに行うことが可能となる。
【００１２】
［適用例３］
適用例２記載の映像出力装置であって、
前記調整量補正部は、前記対照信号のそれぞれと前記第２の基準信号とを比較し、前記対照信号と前記第２の基準信号との大小関係を判定する信号比較器を有しており、
前記増減量低減部は、前記信号比較器により判定された前記対照信号と前記第２の基準信号との大小関係が反転した場合に、前記対照信号が前記第２の基準信号に到達したと判断して前記増減量を低減する
映像出力装置。
【００１３】
この適用例によれば、対照信号が第２の基準信号に到達したか否かを調整量補正部が有する信号比較器を用いて判定することが可能となる。そのため、対照信号が第２の基準信号に到達したか否かの判定がより簡単になる。さらに、信号比較器を共用することにより、映像出力装置の構成をより簡略化することが可能となる。
【００１４】
［適用例４］
適用例１ないし３のいずれか記載の映像出力装置であって、
前記増減量は、前記調整量として補正しうる最小補正量の整数倍であって、
前記増減量低減部は、前記最小補正量に対する倍率を低減することにより前記増減量を低減する
映像出力装置。
【００１５】
この適用例によれば、増減量をデジタル的に低減することができるので、増減量の低減をより簡単に行うことができる。
【００１６】
［適用例５］
適用例４記載の映像出力装置であって、
前記調整量補正部は、前記倍率に応じた数のパルスを前記レベル調整部に供給し、
前記レベル調整部は、前記パルスの入力ごとに前記最小補正量で前記調整量を増減する
映像出力装置。
【００１７】
この適用例によれば、調整量の増減量がパルス数によって決定されるので、増減量の低減をより簡単に行うことが可能となる。
【００１８】
［適用例６］
適用例５記載の映像出力装置であって、
前記増減量低減部は、前記倍率を前記到達の前の１／２倍にすることにより前記増減量を低減する
映像出力装置。
【００１９】
この適用例によれば、パルス数の変更をより簡単に行うことができるので、倍率の変更をより簡単に行うことができ、増減量の低減がより簡単となる。
【００２０】
［適用例７］
適用例１ないし６のいずれか記載の映像出力装置であって、
前記レベル調整部のそれぞれは、
映像入力信号であるデジタル信号をアナログ信号に変換するデジタル／アナログ変換器を備え、
前記調整量補正部は、前記デジタル／アナログ変換器におけるゲインおよびオフセットの少なくとも一つを調整することにより前記映像信号のレベルの調整を行う
映像出力装置。
【００２１】
この適用例によれば、別途設けられる専用のレベル調整量の補正回路を省略することができ、映像出力装置の構成をより簡略化することが可能となる。
【００２２】
［適用例８］
適用例１ないし７のいずれか記載の映像出力装置であって、
前記非表示期間は、前記液晶表示装置における表示開始前の準備期間を含み、
前記調整量補正部による調整量の増減は、前記準備期間中に複数回実行される
映像出力装置。
【００２３】
この適用例によれば、液晶表示装置における表示開始前の準備期間において調整量の増減を行うことができる。そのため、液晶表示装置で表示される表示映像に影響を与えることなく、レベル調整量の補正を行うことが可能となる。また、調整量の増減を準備期間中に複数回実行することにより、表示開始時における表示ムラを十分に抑制することができる。
【００２４】
［適用例９］
適用例１ないし８のいずれか記載の映像出力装置であって、
前記非表示期間は、垂直帰線期間を含む
映像出力装置。
【００２５】
この適用例によれば、垂直帰線期間において調整量の増減を行うことができる。そのため、液晶表示装置で表示される表示映像に影響を与えることなく、レベル調整量の補正を行うことが可能となる。
【００２６】
なお、本発明は、種々の態様で実現することが可能であり、例えば、映像出力装置および映像出力方法、映像出力装置の制御装置および制御方法、これらの装置および方法を用いたプロジェクタやディスプレイ装置やテレビジョン装置、映像出力装置、制御装置、プロジェクタ、ディスプレイ装置およびテレビジョン装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２７】
Ａ１．液晶ディスプレイの構成：
図１は、本発明の一実施例としての映像出力装置が接続される液晶ディスプレイ１００の構成を示す回路図である。液晶ディスプレイ１００は、アクティブマトリックス駆動方式を採るものである。液晶ディスプレイ１００は、図１に示すように、画像表示を行う液晶パネル１１０と、液晶パネル１１０を駆動するための走査線駆動回路１２０と、同じく液晶パネル１１０を駆動するための信号線駆動回路１３０とを備える。
【００２８】
液晶パネル１１０は、アレイ基板（図示せず）を備える。アレイ基板には、Ｘ方向（以下、「水平方向」とも呼ぶ）に延びる複数の走査線１１２と、Ｙ方向（以下、「垂直方向」とも呼ぶ）に延びる複数の信号線１１４とがマトリックス状に配置され、その交点に、透明電極からなる画素電極（画素パターン）１１６と、スイッチング素子としての薄膜トランジスタ（ＴＦＴ）１１８とが形成されている。このＴＦＴ１１８のゲート電極は走査線１１２に接続され、ソース電極は信号線１１４に接続され、ドレイン電極は画素電極１１６に接続される。こうして、基板上に、上記走査線１１２，信号線１１４，画素電極１１６およびＴＦＴ１１８を備えるアクティブマトリックス部が構成されることになる。
【００２９】
なお、本実施例では、図１に示すようにスイッチング素子（すなわち、ＴＦＴ１１８）としてＭＯＳ型のＦＥＴを使用しているが、スイッチング素子としてはバイポーラトランジスタ等の種々のスイッチング素子を使用することも可能である。また、液晶ディスプレイ１００は、アクティブマトリックス駆動方式を採っているが、単純マトリクス駆動方式等の他の駆動方式を採るものとしてもよい。
【００３０】
液晶パネル１１０は、図示はしないが、さらに、上記構成のアレイ基板に対向する対向電極が形成された対向基板を備え、アレイ基板と対向基板との間に、配向膜を介して液晶材料を保持している。
【００３１】
走査線駆動回路１２０は、Ｙ方向走査回路１２２を備える。Ｙ方向走査回路１２２は、液晶パネル１１０の備える各走査線１１２と接続されている。Ｙ方向走査回路１２２は、液晶ディスプレイ１００の外部から送られてくる垂直スタート信号Ｓ８と垂直クロック信号Ｓ９とを受信し、垂直スタート信号Ｓ８と垂直クロック信号Ｓ９とに基づいてアクティブマトリックス部を垂直方向に走査することにより、走査線１１２を順次選択する。
【００３２】
信号線駆動回路１３０は、液晶パネル１１０の備える各信号線１１４と接続されている。信号線駆動回路１３０は、Ｘ方向走査回路１４０とイネーブル制御部１５０とプリチャージ駆動回路１６０とを備える。
【００３３】
Ｘ方向走査回路１４０は、液晶ディスプレイ１００の外部から送られてくる水平スタート信号Ｓ６と水平クロック信号Ｓ７とを受信し、水平スタート信号Ｓ６と水平クロック信号Ｓ７とに基づいてアクティブマトリックス部を水平方向に走査することにより、信号線１１４を順次選択する。
【００３４】
イネーブル制御部１５０は、ｎ（ｎは正の複数）個のアンド回路１５１，１５２，…，１５ｎを並べたもので、各アンド回路１５１〜１５ｎの第１の入力端子Ｔ１と、Ｘ方向走査回路１４０の備えるｎ個の出力端子Ｑ１,Ｑ２,Ｑｎとの間がそれぞれ接続されている。各アンド回路１５１〜１５ｎの第２の入力端子Ｔ２は、１本の線に結ばれて、液晶ディスプレイ１００の接続端子の一つであるイネーブル信号端子ＥＮＢＸと接続されている。各アンド回路１５１〜１５ｎの出力端子Ｔ３は、プリチャージ駆動回路１６０の後述するオア回路と接続されている。
【００３５】
プリチャージ駆動回路１６０は、ｎ個のオア回路１６１，１６２，…，１６ｎを並べたもので、各オア回路１６１〜１６ｎの第１の入力端子Ｔ４に、上記アンド回路１５１〜１５ｎの出力端子Ｔ３がそれぞれ接続されている。各オア回路１６１〜１６ｎの第２の入力端子Ｔ５は、１本の線に結ばれて、液晶ディスプレイ１００の接続端子の一つであるプリチャージタイミング信号端子ＰｒｅＣＨＧと接続されている。
【００３６】
各オア回路１６１〜１６ｎの出力端子Ｔ３６は、３線に分岐されて、それぞれの分岐先に、液晶パネル１１０に形成されたスイッチング素子と同じＴＦＴ１７０が接続されている。詳細には、ＴＦＴ１７０のゲート電極と接続されている。なお、このＴＦＴ１７０を、液晶パネル１１０に形成されたＴＦＴ１１８と区別するために「走査ＴＦＴ」と呼ぶ。液晶パネル１１０に形成されたＴＦＴ１１８は、「画素ＴＦＴ」と呼ぶ。
【００３７】
走査ＴＦＴ１７０のドレイン電極は、液晶パネル１１０の備える各信号線１１４と接続されている。すなわち、走査ＴＦＴ１７０は、信号線１１４と同じ数を備えている。したがって、走査ＴＦＴ１７０は３×ｎ個であることから、信号線１１４も３×ｎ個である。換言すれば、ｎは、信号線の数の１／３となる。すなわち、液晶パネル１１０を水平方向に３分割して駆動すべく、ｎは信号線の数の１／３としている。
【００３８】
各走査ＴＦＴ１７０は、同じオア回路１６１〜１６ｎに接続されるグループ毎に、第１チャネル用の走査ＴＦＴ、第２チャネル用の走査ＴＦＴ、第３チャネル用の走査ＴＦＴと分けることができ、上記各グループの同じチャネル用の走査ＴＦＴのそれぞれが１本の線に結ばれて、グループ毎の各線は、液晶ディスプレイ１００のアナログ映像端子ＶＩＤ１，ＶＩＤ２，ＶＩＤ３と接続されている。
【００３９】
上記構成の液晶ディスプレイ１００によれば、Ｙ方向走査回路１２０２により走査線１１２を選択し、Ｘ方向走査回路１４０により信号線１１４を選択することにより、所望の画素ＴＦＴ１１８に対して、アナログ映像端子ＶＩＤ１，ＶＩＤ２，ＶＩＤ３から送られてくる電気信号を送ることができる。この結果、液晶ディスプレイ１００においては、その画素ＴＦＴ１１８に対応する画素電極と対向電極との間に挟まれた領域の液晶のみが、電極間の電界を受けて配列を変え、１画素毎の液晶シャッタとして機能する。さらに、上記液晶ディスプレイ１００によれば、イネーブル信号端子ＥＮＢＸから水平書込みイネーブル信号Ｓ４を受けることにより、Ｘ方向走査回路１４０の各出力端子Ｑ１,Ｑ２,Ｑｎからの出力信号を有効とすることができる。また、プリチャージタイミング信号端子ＰｒｅＣＨＧからプリチャージタイミング信号Ｓ５を受けることにより、プリチャージタイミング信号Ｓ５から定まるプリチャージ期間において、プリチャージ電圧を各信号線１１４に印加することができる。
【００４０】
Ａ２．映像出力装置の構成：
図２は、液晶ディスプレイ１００が接続される映像出力装置１０の構成を示す回路図である。図３は、映像出力装置１０が備える調整制御部６００の概略構成を示すブロック図である。調整制御部６００は、調整モード信号発生部６１０と、チャネル切替信号発生部６２０と、補正信号発生部６３０と、補正量決定部６４０と、極性反転検出部６５０と、２つの基準信号発生部６６０，６７０とを備えている。
【００４１】
調整制御部６００は、ＣＰＵとメモリと入出力ポート（いずれも図示しない）を備えるマイクロコンピュータとして構成されている。調整制御部６００の各機能部６１０，６２０，６３０，６４０，６５０，６６０，６７０の機能は、ＣＰＵがメモリに格納されたプログラムを実行することにより実現される。但し、調整制御部６００をハードウェアで実現するものとしてもよい。以下では、ある機能部の機能を実現するために調整制御部６００のＣＰＵが処理を実行することを、当該機能部がその処理を実行するという。なお、調整制御部６００および各機能部の機能については、後述する。
【００４２】
図２に示す映像出力装置１０は、液晶ディスプレイ１００に３チャネルの映像信号を供給する。具体的には、３チャネルの映像信号生成部２００，３００，４００は、図示しない映像処理回路から出力された３チャネルのデジタル映像信号Ｖ１〜Ｖ３から３チャネルのアナログ映像信号Ｓ１〜Ｓ３を生成し、生成したアナログ映像信号Ｓ１〜Ｓ３をそれぞれ液晶ディスプレイ１００のアナログ映像端子ＶＩＤ１〜ＶＩＤ３に出力する。
【００４３】
３チャネルのデジタル映像信号Ｖ１〜Ｖ３は、それぞれ、Ｄ／Ａ変換部２１０，３１０，４１０によりアナログ信号に変換される。Ｄ／Ａ変換部２１０，３１０，４１０のそれぞれは、電流出力型のデジタル／アナログ変換器（Ｄ／Ａ変換器）２１２，３１２，４１２を有している。なお、Ｄ／Ａ変換器２１２，３１２，４１２には、デジタル信号に対応する出力電流値を決定するための２つの基準電圧が供給される。以下では、これらの基準電圧のうち、高電圧側の基準電圧を「上限基準電圧」と呼び、低電圧側の基準電圧を「下限基準電圧」と呼ぶ。
【００４４】
Ｄ／Ａ変換器２１２，３１２，４１２が出力する電流信号は、オペアンプ２２２，３２２，４２２と抵抗２２４，３２４，４２４とにより構成された電流−電圧変換器（Ｉ−Ｖ変換器）２２０，３２０，４２０により電圧信号に変換される。電圧信号に変換されたアナログ映像信号Ｓ１〜Ｓ３は、液晶ディスプレイ１００のアナログ映像端子ＶＩＤ１〜ＶＩＤ３に出力される。なお、Ｉ−Ｖ変換器２２０，３２０，４２０において、入力電流値に対する出力電圧値の比率（Ｉ−Ｖ変換利得）は、抵抗２２４，３２４，４２４により決定される。そのため、これらの抵抗２２４，３２４，４２４としては、規格上同一のものが使用される。
【００４５】
Ｄ／Ａ変換部２１０，３１０，４１０のそれぞれは、Ｄ／Ａ変換器２１２，３１２，４１２のゲイン（増幅率）を調整するゲイン調整部２１４，３１４，４１４と、Ｄ／Ａ変換器２１２，３１２，４１２のオフセットを調整するオフセット調整部２１６，３１６，４１６とを有している。このように、Ｄ／Ａ変換器２１２，３１２，４１２のゲインとオフセットとを調整することにより、映像信号生成部２００，３００，４００が出力するアナログ映像信号Ｓ１〜Ｓ３のレベルが調整される。そのため、以下では、ゲインとオフセットとを「調整量」とも呼ぶ。また、映像信号生成部２００，３００，４００は、出力信号のレベルを調整する機能を有するため、それぞれ、「レベル調整部」ともいうことができる。
【００４６】
本実施例において、ゲイン調整部２１４，３１４，４１４とオフセット調整部２１６，３１６，４１６とは、アップダウンカウンタとＲ−２Ｒ型Ｄ／Ａ変換器とにより構成されている。そして、ゲイン調整部２１４，３１４，４１４は、それぞれ対応するＤ／Ａ変換器２１２，３１２，４１２に供給する上限基準電圧を変えることによりゲインの調整を行う。また、オフセット調整部２１６，３１６，４１６は、それぞれ対応するＤ／Ａ変換器２１２，３１２，４１２に供給する下限基準電圧を変えることによりオフセットの調整を行う。そのため、ゲインとオフセットとは、後述するように、入力されるパルス数に応じた量で補正される。なお、ゲイン調整部２１４，３１４，４１４とオフセット調整部２１６，３１６，４１６との構成は、Ｄ／Ａ変換器２１２，３１２，４１２のゲインとオフセットが変更可能であれば、他の構成を取ることも可能である。ゲイン調整部２１４，３１４，４１４とオフセット調整部２１６，３１６，４１６との構成によっては、ゲインとオフセットと入力信号の電圧やパルスの幅で直接設定することも可能である。この場合、ゲインとオフセットとの補正量は、所定の最小補正量の整数倍以外の値に設定することも可能となる。但し、ゲイン調整部２１４，３１４，４１４およびオフセット調整部２１６，３１６，４１６の構成をより簡略化するとともに、補正量の変更がより容易となる点で、パルス数に応じた量で補正を行うのがより好ましい。このように、補正量が最小補正量の整数倍とすることにより、デジタル的に補正量が変更できる。
【００４７】
Ｄ／Ａ変換部２１０，３１０，４１０の前段には、入力切替スイッチ５１０，５２０，５３０が設けられている。入力切替スイッチ５１０，５２０，５３０は、調整制御部６００の調整モード信号発生部６１０（図３）から供給される調整量補正モード信号Ｃａｌを受け、各Ｄ／Ａ変換部２１０，３１０，４１０に送る信号を切り替える。調整量補正モード信号Ｃａｌがロウレベル（画像表示モード）の場合、入力切替スイッチ５１０，５２０，５３０は、各Ｄ／Ａ変換部２１０，３１０，４１０にデジタル映像信号Ｖ１〜Ｖ３を供給する。一方、調整量補正モード信号Ｃａｌがハイレベル（調整量補正モード）の場合、入力切替スイッチ５１０，５２０，５３０は、調整制御部６００の第１の基準信号発生部６６０が発生する第１の基準信号Ｖｒｅｆ１を各Ｄ／Ａ変換部２１０，３１０，４１０に供給する。
【００４８】
Ｉ−Ｖ変換器２２０，３２０，４２０の出力は、出力切替スイッチ６０４と接続されている。出力切替スイッチ６０４は、調整制御部６００のチャネル切替信号発生部６２０（図３）から供給される３つのチャネル指定信号ＣＨ１〜ＣＨ３に対応して、アナログ映像信号Ｓ１〜Ｓ３から１つのアナログ映像信号Ｓｘを選択する。例えば、チャネル指定信号ＣＨ１がハイレベルとなった場合には、第１のアナログ映像信号Ｓ１が選択される。出力切替スイッチ６０４により選択されたアナログ映像信号Ｓｘは、電圧比較器（コンパレータ）６０２に供給される。
【００４９】
電圧比較器６０２には、出力切替スイッチ６０４により選択されたアナログ映像信号Ｓｘと、調整制御部６００の第２の基準信号発生部６７０が発生する第２の基準信号Ｖｒｅｆ２が供給される。電圧比較器６０２は、アナログ映像信号Ｓｘと第２の基準信号Ｖｒｅｆ２との電圧の高低を比較し、比較出力信号Ｖｃｏｍｐを出力する。電圧比較器６０２が出力する比較出力信号Ｖｃｏｍｐは、調整制御部６００の極性反転検出部６５０（図３）と、補正信号発生部６３０とに供給される。補正信号発生部６３０は比較出力信号Ｖｃｏｍｐを記憶部（図示しない）に格納し、チャネル指定信号ＣＨ１〜ＣＨ３のそれぞれの立ち下がりに同期して、記憶部に格納された比較出力信号Ｖｃｏｍｐを調整情報ＵＰ／ＤＯＷＮとして出力する。なお、アナログ映像信号Ｓｘは、第２の基準信号Ｖｒｅｆと比較対照される信号であるので、「対照信号」ともいうことができる。
【００５０】
なお、一般に、液晶ディスプレイは、直流電圧をかけ続けることにより焼き付き等の劣化が生じるおそれがある。そのため、本実施例では、液晶ディスプレイの劣化を抑制するため、映像信号生成部２００，３００，４００は、アナログ映像信号Ｓ１〜Ｓ３の極性を、垂直同期信号Ｖｓｙｎｃの立ち下がりのタイミングで交互に切り替える。これに合わせて、第２の基準信号発生部６７０は、第２の基準信号Ｖｒｅｆ２の極性を切り替える。なお、電圧比較器６０２は、このような極性の切替に応じて比較出力信号Ｖｃｏｍｐの出力のレベルを決定する。例えば、電圧比較器６０２として一般的なコンパレータを用いる場合、アナログ映像信号Ｓ１〜Ｓ３および第２の基準信号Ｖｒｅｆ２の極性が反転している期間において、コンパレータの出力を反転することにより比較出力信号Ｖｃｏｍｐが生成される。
【００５１】
ゲイン調整部２１４，３１４，４１４は、調整制御部６００から供給されるタイミング信号ＴＧ１〜ＴＧ３と調整情報ＵＰ／ＤＯＷＮとに基づいて、Ｄ／Ａ変換器２１２，３１２，４１２のゲインを補正する。具体的には、調整情報ＵＰ／ＤＯＷＮからゲインの補正方向を決定し、タイミング信号ＴＧ１〜ＴＧ３に応じたタイミングにおいてＤ／Ａ変換器２１２，３１２，４１２のゲインを補正する。例えば、アナログ映像信号Ｓ１〜Ｓ３の電圧が基準信号Ｖｒｅｆ２の電圧よりも高い場合、補正方向は減少方向に決定され、タイミング信号ＴＧ１〜ＴＧ３の立ち上がりにおいて、１ステップ分ゲインが下げられる。一方、アナログ映像信号Ｓ１〜Ｓ３の電圧が基準信号Ｖｒｅｆ２の電圧よりも低い場合、補正方向は増大方向と決定され、タイミング信号ＴＧ１〜ＴＧ３の立ち上がりにおいて、１ステップ分ゲインが上げられる。従って、タイミング信号ＴＧ１〜ＴＧ３の立ち上がりにおいて、アナログ映像信号Ｓ１〜Ｓ３は、基準信号Ｖｒｅｆ２に向かって調整される。なお、以下では、チャネル１のタイミング信号ＴＧ１が出力される期間、すなわち、チャネル１の次のチャネル（チャネル２）を指定するチャネル指定信号ＣＨ２がハイレベルとなっている期間を「チャネル１のゲイン補正期間」とも呼び、また、他のチャネルについても同様に呼ぶ。
【００５２】
オフセット調整部２１６，３１６，４１６は、調整制御部６００から供給されるタイミング信号ＴＯ１〜ＴＯ３と調整情報ＵＰ／ＤＯＷＮとに基づいて、Ｄ／Ａ変換器２１２，３１２，４１２のオフセットを補正する。具体的には、調整情報ＵＰ／ＤＯＷＮからオフセットの補正方向を決定し、タイミング信号ＴＯ１〜ＴＯ３に応じたタイミングにおいてＤ／Ａ変換器２１２，３１２，４１２のオフセットを補正する。例えば、アナログ映像信号Ｓ１〜Ｓ３の電圧が基準信号Ｖｒｅｆ２の電圧よりも高い場合、補正方向は減少方向に決定され、タイミング信号ＴＯ１〜ＴＯ３の立ち上がりにおいて、１ステップ分オフセットが下げられる。一方、アナログ映像信号Ｓ１〜Ｓ３の電圧が基準信号Ｖｒｅｆ２の電圧よりも低い場合、補正方向は増大方向と決定され、タイミング信号ＴＯ１〜ＴＯ３の立ち上がりにおいて、１ステップ分オフセットが上げられる。従って、タイミング信号ＴＯ１〜ＴＯ３の立ち上がりにおいて、アナログ映像信号Ｓ１〜Ｓ３は、基準信号Ｖｒｅｆ２に向かって調整される。なお、以下では、チャネル１のタイミング信号ＴＯ１が出力される期間、すなわち、チャネル１の次のチャネル（チャネル２）を指定するチャネル指定信号ＣＨ２がハイレベルとなっている期間を「チャネル１のオフセット補正期間」とも呼び、また、他のチャネルについても同様に呼ぶ。
【００５３】
上述のように、ゲイン調整部２１４，３１４，４１４とオフセット調整部２１６，３１６，４１６とをアップダウンカウンタとＤ／Ａ変換器とで構成した場合、調整情報ＵＰ／ＤＯＷＮをアップダウンカウンタの昇降制御入力に供給し、タイミング信号ＴＧ１〜ＴＧ３，ＴＯ１〜ＴＯ３をアップダウンカウンタのクロック入力に供給することにより、これらのゲイン調整部とオフセット調整部との機能を実現することができる。
【００５４】
調整制御部６００は、電圧比較器６０２から供給される比較出力信号Ｖｃｏｍｐと、外部から供給されるクロック信号ＣＬＫに基づいて、ゲイン調整部２１４，３１４，４１４とオフセット調整部２１６，３１６，４１６とを制御する。上述のように、Ｉ−Ｖ変換器２２０，３２０，４２０に使用される抵抗２２４，３２４，４２４は、規格上は同一であるが、その抵抗値は、個体差や周囲温度によって異なったものとなる可能性がある。また、Ｉ−Ｖ変換器２２０，３２０，４２０に使用されるオペアンプ２２２，３２２，４２２も、個体差や周囲温度によって、ゼロオフセット（＋と−の２つの入力が同電位のときの出力電圧）が異なったものとなる可能性がある。そのため、Ｉ−Ｖ変換器２２０，３２０，４２０のＩ−Ｖ変換利得やオフセットは、チャネルごとに異なる可能性がある。そこで、調整制御部６００が、ゲイン調整部２１４，３１４，４１４とオフセット調整部２１６，３１６，４１６とを制御することにより、チャネルごとのＩ−Ｖ変換利得やオフセットの差異の影響を低減する。
【００５５】
具体的には、極性反転検出部６５０（図３）は、電圧比較器６０２から供給される比較出力信号Ｖｃｏｍｐからアナログ映像信号Ｓｘと第２の基準信号Ｖｒｅｆ２との大小関係の反転（極性反転）を検出し、検出結果を補正量決定部６４０（図３）に供給する。補正量決定部６４０は、極性反転の検出結果に基づいて、補正量（すなわち、調整量の増減量）を決定する。補正信号発生部６３０（図３）は、タイミング信号ＴＧ１〜ＴＧ３，ＴＯ１〜ＴＯ３として、補正量決定部６４０により決定された補正量に応じたパルス信号を、ゲイン調整部２１４，３１４，４１４およびオフセット調整部２１６，３１６，４１６に送出する。なお、補正量決定部６４０による補正量の決定や、補正信号発生部６３０によるタイミング信号ＴＧ１〜ＴＧ３の生成については、後述する。後述するように、補正量決定部６４０は、極性反転の検出結果に基づいて、補正量を低減するので、「補正量低減部」ともいうことができる。また、本実施例では、極性反転検出部６５０は、電圧比較器６０２から供給される比較出力信号Ｖｃｏｍｐから極性反転を検出しているが、別個の電圧比較器からアナログ映像信号Ｓｘと第２の基準信号Ｖｒｅｆ２との大小関係の判定結果を取得するものとしてもよい。
【００５６】
このように、ゲインやオフセットを補正することにより、アナログ映像信号Ｓ１〜Ｓ３の電圧は、基準信号Ｖｒｅｆ２の電圧に略一致させられる。そのため、同一の入力信号が映像信号生成部２００，３００，４００に入力された場合の、アナログ映像信号Ｓ１〜Ｓ３の電圧は略等しくなり、アナログ映像信号Ｓ１〜Ｓ３の電圧の差によって生じるムラの発生を抑制することができる。
【００５７】
映像出力装置１０は、また、リセット発生回路８００を備えている。リセット発生回路８００は、電源電圧Ｖｄｄの投入を受けて、調整制御部６００を構成するマイクロコンピュータに対してリセット信号Ｒｅｓｅｔを出力する。なお、本実施例では、リセット発生回路８００を映像出力装置１０に設けているが、調整制御部６００へのリセット信号Ｒｅｓｅｔの供給が可能であれば、リセット信号Ｒｅｓｅｔを外部から供給するものとしてもよい。
【００５８】
映像出力装置１０は、また、表示タイミング発生部９００を備えている。表示タイミング発生部９００は、クロック信号ＣＬＫと垂直同期信号Ｖｓｙｎｃと水平同期信号Ｈｓｙｎｃとに基づいて、水平書込みイネーブル信号Ｓ４、プリチャージタイミング信号Ｓ５、水平スタート信号Ｓ６、水平クロック信号Ｓ７、垂直スタート信号Ｓ８、垂直クロック信号Ｓ９を生成する。そして、生成した信号Ｓ４〜Ｓ９を液晶ディスプレイ１００の所定の端子ＥＮＢＸ，ＰｒｅＣＨＧ，ＤＸ，ＣＬＸ，ＤＹ，ＣＬＹに出力する。
【００５９】
Ａ３．調整量補正処理：
図４は、調整制御部６００（図３）により実行される調整量補正処理を示すフローチャートである。本実施例の調整量補正処理は、調整量ごとに補正量が別個に変更される。図５は、調整量ごとに補正量を変更する補正実行処理を示すフローチャートである。図６は、本実施例において調整量が補正される様子を示すタイミングチャートである。
【００６０】
図４のステップＳ１１０において、調整制御部６００は、リセット発生回路８００から供給されるリセット信号Ｒｅｓｅｔに基づいて、リセット状態が解除されたか否かを判定する。リセット状態が解除されていないと判定された場合、リセット状態が解除されるまでステップＳ１１０は繰り返し実行される。一方、リセット状態が解除されたと判定された場合、処理はステップＳ１２０に進み、調整量の補正が行われる。なお、後述するように、調整量の補正は、全調整量（３つのチャネルのゲインとオフセット）の補正を複数回繰り返すことにより実行される。以下では、全調整量の補正を行う一連の処理期間を補正サイクルとも呼ぶ。
【００６１】
ステップＳ１２０において、調整制御部６００は、調整モード信号発生部６１０から出力される調整量補正モード信号Ｃａｌをハイレベルにして、映像出力装置１０を調整量補正モードにする。
【００６２】
ステップＳ６００において、調整制御部６００の補正量決定部６４０は、補正量の初期化を行う。具体的には、各調整量（３つのチャネルのゲインおよびオフセット）に対してそれぞれ補正量の初期値（例えば、４ステップ）を設定する。補正量の初期値は、補正量決定部６４０に設けられた記憶部（図示しない）に格納される。
【００６３】
次いで、ステップＳ６１０において、第１の基準信号発生部６６０は、第１の基準信号Ｖｒｅｆ１として黒基準データを出力し、第２の基準信号発生部６７０は、第２の基準信号Ｖｒｅｆ２として黒基準電圧を出力する。第１の基準信号発生部６６０が黒基準データを出力することにより、黒基準データは、入力切替スイッチ５１０，５２０，５３０を介して、Ｄ／Ａ変換器２１２，３１２，４１２に入力される。図６の例では、リセット信号Ｒｅｓｅｔがハイレベル（リセット解除）となる時刻ｔ２１において、調整量補正モード信号Ｃａｌがロウレベルからハイレベルに切り替わり（ステップＳ１２０）、Ｄ／Ａ変換器２１２，３１２，４１２への入力信号ＶＣ１〜ＶＣ３は、黒基準データとなる（ステップＳ６１０）。
【００６４】
ステップＳ６２０において、調整制御部６００は、チャネル１のオフセットを補正する。具体的には、図５に示す補正実行処理を実行する。
【００６５】
図５のステップＳ７１０では、極性反転検出部６５０は、チャネル１のオフセットが極性反転したか否かを判定する。極性反転が検出された場合は、処理はステップＳ７２０に進む。一方、極性反転が検出されなかった場合、処理はステップＳ７３０に進む。なお、いずれのチャネルにおいても、補正量の初期化（ステップＳ６００）を行った直後の最初のオフセット補正では、ステップＳ７１０による判定を行わず、処理はステップＳ７３０に進む。
【００６６】
ステップＳ７２０では、補正量決定部６４０が、チャネル１のオフセットの補正量を低減する。例えば、補正量が４ステップであった場合には補正量を２ステップに低減し、補正量が２ステップであった場合には補正量を１ステップに低減する。また、補正量が１ステップであった場合には、補正量を０ステップに低減する。ステップＳ７２０におけるオフセットの補正量の低減の後、処理はステップＳ７３０に進む。
【００６７】
ステップＳ７３０では、補正量が０ステップとなっているか否かが判定される。補正量が０ステップとなっている場合、補正実行処理は終了し、処理は図４の調整量補正処理に戻される。一方、補正量が０ステップとなっていない場合、すなわち、補正量が１ステップ以上である場合には、処理はステップＳ７４０に進む。
【００６８】
ステップＳ７４０において、補正信号発生部６３０は、チャネル１のオフセット補正量に応じてタイミング信号ＴＯ１を出力する。具体的には、図６に示すように、チャネル切替信号発生部６２０は、チャネル１に対応するチャネル指定信号ＣＨ１の波形の立ち上がりのタイミングで、出力切替スイッチ６０４によりチャネル１のアナログ映像信号Ｓ１を選択する。電圧比較器６０２は、チャネル１のアナログ信号Ｓ１と基準信号Ｖｒｅｆ２とに基づき比較出力信号Ｖｃｏｍｐを出力する。補正量決定部６４０は極性反転検出部６５０の出力に基づき補正量を低減する。補正信号発生部６３０は、比較出力信号Ｖｃｏｍｐを調整情報ＵＰ／ＤＯＷＮとして記憶部（図示しない）に格納するとともに、補正量決定部６４０が決定した補正量に基づきタイミング信号ＴＯ１を生成する。補正信号発生部６３０はチャネル指定信号ＣＨ１の立下りのタイミングでタイミング信号ＴＯ１と調整情報ＵＰ／ＤＯＷＮとを出力する。オフセット調整部２１６は、調整制御部から出力されたタイミング信号ＴＯ１と調整情報ＵＰ／ＤＯＷＮとに基づき、アナログ映像信号Ｓ１の電圧が黒基準電圧に近づくように、チャネル１のオフセットを補正する。以上で図５に示す補正実行処理は終了し、制御は図４の調整量補正処理に戻される。
【００６９】
図６の例では、調整情報ＵＰ／ＤＯＷＮは、補正サイクルｔｃ１においてアナログ映像信号Ｓ１の電圧が黒基準電圧よりも高くなっていることを示すハイレベルとなっている。そのため、チャネル１のオフセット調整部２１６では、オフセットが４ステップ分下げられる。一方、アナログ映像信号Ｓ１の電圧が黒基準電圧よりも低く、調整情報ＵＰ／ＤＯＷＮがロウレベルになっている場合、オフセットが４ステップ分上げられる。
【００７０】
また、極性反転検出部６５０は、チャネル１のオフセットの極性反転を検出する。具体的には、極性反転検出部６５０は、Ｄ／Ａ変換器２１２，３１２，４１２に黒基準信号が入力され、チャネル指定信号ＣＨ１がハイレベルとなっている期間（以下、「チャネル１のオフセット反転検出期間」と呼ぶ、また、他のチャネルについても同様に呼ぶ）における比較出力信号Ｖｃｏｍｐのレベルの変化を検出する。図６の例では、１番目の補正サイクルｔｃ１と２番目の補正サイクルｔｃ２とのいずれのオフセット反転検出期間においても、比較出力信号Ｖｃｏｍｐがハイレベルとなっている。そのため、１番目の補正サイクルｔｃ１と２番目の補正サイクルｔｃ２とでは、チャネル１のオフセット反転検出期間における比較出力信号Ｖｃｏｍｐのレベルに変化はなく、補正サイクルｔｃ２においてチャネル１のオフセットに極性反転は検出されない。
【００７１】
図５の補正実行処理から図４の調整量補正処理に制御が戻されると、ステップＳ６３０において、調整制御部６００は、チャネル２のオフセットを補正する。次いで、ステップＳ６４０において、調整制御部６００は、チャネル３のオフセットを補正する。なお、ステップＳ６３０，Ｓ６４０において実行される処理は、ステップＳ６２０において実行される補正実行処理（図５）と同様である。
【００７２】
ステップＳ６５０において、第１の基準信号発生部６６０は、第１の基準信号Ｖｒｅｆ１として白基準データを出力し、第２の基準信号発生部６７０は、第２の基準信号Ｖｒｅｆ２として白基準電圧を出力する。第１の基準信号発生部６６０が白基準データを出力することにより、白基準データは、入力切替スイッチ５１０，５２０，５３０を介して、Ｄ／Ａ変換器２１２，３１２，４１２に入力される。これにより、図６に示すように、Ｄ／Ａ変換器２１２，３１２，４１２への入力信号ＶＣ１〜ＶＣ３は、白基準データとなる。
【００７３】
次いで、ステップＳ６６０において、調整制御部６００は、チャネル１のゲインを補正する。
【００７４】
図５のステップＳ７１０では、補正量決定部６４０は、チャネル１のゲインが極性反転したか否かを判定する。極性反転が検出された場合は、処理はステップＳ７２０に進む。一方、極性反転が検出されなかった場合、処理はステップＳ７３０に進む。なお、いずれのチャネルにおいても、補正量の初期化（ステップＳ６００）を行った直後の最初のゲイン補正では、ステップＳ７１０における判定を行わず、処理はステップＳ７３０に進む。
【００７５】
ステップＳ７２０では、補正量決定部６４０が、チャネル１のゲインの補正量を低減する。例えば、補正量が４ステップであった場合には補正量を２ステップに低減し、補正量が２ステップであった場合には補正量を１ステップに低減する。また、補正量が１ステップであった場合には、補正量を０ステップに低減する。ステップＳ７２０におけるゲインの補正量の低減の後、処理はステップＳ７３０に進む。
【００７６】
ステップＳ７３０では、補正量が０ステップとなっているか否かが判定される。補正量が０ステップとなっている場合、補正実行処理は終了し、処理は図４の調整量補正処理に戻される。一方、補正量が０ステップとなっていない場合、すなわち、補正量が１ステップ以上である場合には、処理はステップＳ７４０に進む。
【００７７】
ステップＳ７４０において、補正信号発生部６３０は、チャネル１のゲイン補正量に応じてタイミング信号ＴＧ１を出力する。具体的には、図６に示すように、チャネル切替信号発生部６２０は、チャネル１に対応するチャネル指定信号ＣＨ１の波形の立ち上がりのタイミングで、出力切替スイッチ６０４によりチャネル１のアナログ映像信号Ｓ１を選択する。電圧比較器６０２は、チャネル１のアナログ信号Ｓ１と基準信号Ｖｒｅｆ２とに基づき比較出力信号Ｖｃｏｍｐを出力する。補正量決定部６４０は極性反転検出部６５０の出力に基づき補正量を低減する。補正信号発生部６３０は、比較出力信号Ｖｃｏｍｐを調整情報ＵＰ／ＤＯＷＮとして記憶部（図示しない）に格納するとともに、補正量決定部６４０が決定した補正量に基づきタイミング信号ＴＧ１を生成する。補正信号発生部６３０はチャネル指定信号ＣＨ１の立下りのタイミングでタイミング信号ＴＧ１と調整情報ＵＰ／ＤＯＷＮとを出力する。ゲイン調整部２１４は、調整制御部から出力されたタイミング信号ＴＧ１と調整情報ＵＰ／ＤＯＷＮとに基づき、アナログ映像信号Ｓ１の電圧が白基準電圧に近づくように、チャネル１のゲインを補正する。以上で図５に示す補正実行処理は終了し、制御は図４の調整量補正処理に戻される。
【００７８】
図６の例では、調整情報ＵＰ／ＤＯＷＮは、補正サイクルｔｃ１においてアナログ映像信号Ｓ１の電圧が白基準電圧よりも低くなっていることを示すロウレベルとなっている。そのため、チャネル１のゲイン調整部２１４では、ゲインが４ステップ分上げられる。一方、アナログ映像信号Ｓ１の電圧が白基準電圧よりも低く、調整情報ＵＰ／ＤＯＷＮがハイレベルになっている場合、ゲインが４ステップ分下げられる。
【００７９】
また、極性反転検出部６５０は、チャネル１のゲインの極性反転を検出する。具体的には、極性反転検出部６５０は、Ｄ／Ａ変換器２１２，３１２，４１２に白基準データ（白色基準信号）が入力され、チャネル指定信号ＣＨ１がハイレベルとなっている期間（以下、「チャネル１のゲイン反転検出期間」と呼ぶ、また、他のチャネルについても同様に呼ぶ）における比較出力信号Ｖｃｏｍｐのレベルの変化を検出する。図６の例では、２つの補正サイクルｔｃ１，ｔｃ２のそれぞれのチャネル１のゲイン反転検出期間において、比較出力信号Ｖｃｏｍｐがいずれもロウレベルとなっている。そのため、１番目の補正サイクルｔｃ１と２番目の補正サイクルｔｃ２とでは、チャネル１のゲイン反転検出期間における比較出力信号Ｖｃｏｍｐのレベルに変化はなく、補正サイクルｔｃ２においてチャネル１のゲインに極性反転は検出されない。
【００８０】
図５の補正実行処理から図４の調整量補正処理に制御が戻されると、ステップＳ６７０において、調整制御部６００は、チャネル２のゲインを補正する。次いで、ステップＳ６８０において、調整制御部６００は、チャネル３のゲインを補正する。なお、ステップＳ６７０，Ｓ６８０において実行される処理は、ステップＳ６６０において実行される補正実行処理（図５）と同様である。
【００８１】
ステップＳ６１０〜Ｓ６８０における各調整量の補正の後、ステップＳ６９０において、調整制御部６００は、全ての調整量の補正が完了したか否かを判定する。全調整量の補正が完了したか否かは、全ての調整量についての補正量が０ステップとなっているか否かにより判定することができる。全ての調整量についての補正量が０ステップとなっている場合、全調整量の補正が完了したと判断され、処理はステップＳ５１０に進む。一方、少なくとも１つの調整量についての補正量が０ステップとなっていない場合、全調整量の補正が完了していないと判断され、処理はステップＳ６１０に戻される。そして、全調整量の補正が完了したと判断されるまで、ステップＳ６１０〜Ｓ６９０が繰り返し実行される。
【００８２】
以下では、図６に示すタイミングチャートに基づいて、調整量の補正処理の開始から全調整量の補正が完了するまでの過程を説明する。調整量の補正処理は、上述のように、リセット信号Ｒｅｓｅｔの立ち上がりのタイミング（時刻ｔ２１）において開始される。調整量補正処理（図４）が開始されると、各調整量の補正量は、４ステップに設定される（ステップＳ６００）。そして、各調整量に対して、４ステップの補正が行われる（ステップＳ６１０〜Ｓ６８０）。
【００８３】
図６の例では、４番目の補正サイクルｔｃ４におけるチャネル３のオフセット反転検出期間の比較出力信号Ｖｃｏｍｐのレベル（ロウレベル）は、３番目の補正サイクルｔｃ３のオフセット反転検出期間の比較出力信号Ｖｃｏｍｐのレベル（ハイレベル）と異なっている。すなわち、図６の例は、３番目の補正サイクルｔｃ３におけるチャネル３のオフセット反転検出期間に電圧比較器６０２に入力された基準信号Ｖｒｅｆ２とアナログ信号Ｓ３との電位差の極性に対し、４番目の補正サイクルｔｃ４におけるチャネル３のオフセット反転検出期間に電圧比較器６０２に入力された基準信号Ｖｒｅｆ２とアナログ信号Ｓ３との電位差の極性は異なることを表している。そのため、補正サイクルｔｃ４におけるチャネル３のオフセット補正開始時刻ｔ２３において、極性反転が検出されたと判定され（図５のステップＳ７１０）、チャネル３のオフセットの補正量は、２ステップに変更される（ステップＳ７２０）。
【００８４】
このようにチャネル３のオフセットの補正量が２ステップに変更されることにより、時刻ｔ２３から始まるチャネル３のオフセット反転検出期間に続くオフセット補正期間において、タイミング信号ＴＯ３として２個のパルスが出力される。同様に、時刻ｔ２４から始まるチャネル２のゲイン反転検出期間に続くゲイン補正期間では、先の補正後に極性反転が発生しているため、タイミング信号ＴＧ２として２個のパルスが出力される。
【００８５】
一方、補正サイクルｔｃ４において極性反転が発生していない他の調整量（チャネル１および２のオフセットと、チャネル１および３のゲイン）については、４番目の補正サイクルｔｃ４の各オフセット反転検出期間に続くオフセット補正期間においてタイミング信号ＴＯ１，ＴＯ２，ＴＧ１，ＴＧ３として４個のパルスが出力される。そして、５番目の補正サイクルｔｃ５においてこれらの調整量には極性反転が発生し、補正量が２ステップに変更される。
【００８６】
補正サイクルｔｃ６においては、チャネル３のオフセットとチャネル２のゲインとに極性反転が生じる。そのため、チャネル３のオフセットとチャネル２のゲインとのそれぞれの補正量は、１ステップに変更される。一方、補正サイクルｔｃ６において極性反転が生じていない他の調整量（チャネル１および２のオフセットと、チャネル１および３のゲイン）については、補正量の変更は行われず、それぞれ２ステップの補正が行われる。
【００８７】
次いで、７番目の補正サイクルｔｃ７において、他の調整量（チャネル１および２のオフセットと、チャネル１および３のゲイン）についても極性反転が発生し、補正量は１ステップに変更されて、全ての補正量が１ステップとなる。
【００８８】
その後、８番目の補正サイクルｔｃ８においてはどの調整量も極性反転せず、全ての調整量は１ステップずつ補正され、９番目の補正サイクルｔｃ９において極性反転が全ての調整量について発生する。そのため、この補正サイクルｔｃ９の各補正期間において、全調整量の補正量は０ステップに変更される。
【００８９】
このように全調整量の補正量が０ステップに変更された補正サイクルｔｃ９の終端の時点ｔ２９において、全調整量の補正が完了したと判定され（図４のステップＳ６９０）、調整量補正モード信号Ｃａｌはロウレベルに変更され（ステップＳ５１０）、調整量補正処理は終了する。
【００９０】
図７は、オフセットを補正することによりアナログ映像信号と第２の基準信号Ｖｒｅｆ２との電圧の差（誤差電圧）が低減される様子を示す説明図である。図７の横軸は、補正の開始からの経過時間を示し、縦軸は誤差電圧を示している。経過時間の単位は、３つのチャネルのオフセットとゲインが補正される１補正サイクル分の時間（単位補正時間）ｔｃ、すなわち、図４のステップＳ６１０〜Ｓ６８０が１回実行される時間である。縦軸の単位はｍＶである。
【００９１】
図７において、丸で示したグラフは、本実施例を適用した例を示している。三角で示したグラフは、初期の補正量を２ステップとした例を示し、四角で示したグラフは、補正量の変更を行わない例を示している。図７の例では、初期（オフセット補正前）の誤差電圧は−４３ｍＶとなっている。そして、１ステップのオフセット補正でオフセットが２ｍＶ変化する。そのため、２ステップのオフセット補正でオフセットが４ｍＶ変化し、４ステップのオフセット補正でオフセットが８ｍＶ変化する。なお、図７のグラフは、１チャネル分のオフセットの補正が行われる様子を示しており、簡単のため、当該チャネルのオフセットと同様に他の調整量が極性反転するものとして図示している。
【００９２】
本実施例を適用した場合、補正の開始から６ｔｃ経過するまで、４ステップのオフセット補正が行われる。すなわち、ステップＳ６１０〜Ｓ６８０が６回繰り返される。この期間において、オフセットが高くなり誤差電圧は上昇する。そして、補正の開始から６ｔｃ経過の後、極性反転が検出されて補正量が２ステップに変更される。このとき、比較出力信号Ｖｃｏｍｐのレベルは初期（ｔｃ＝０）から反転している。そのため、オフセットの補正方向は反転し、オフセットが低くなり誤差電圧が低下する。この２ステップのオフセット補正が２ｔｃ行われると（ステップＳ６１０〜Ｓ６８０が２回繰り返されると）、極性反転が検出される。そして、さらに１ステップのオフセット補正が２ｔｃ行われると（ステップＳ６１０〜Ｓ６８０が２回繰り返されると）、オフセットが高くなり誤差電圧が上昇し、極性反転が検出される。このように、本実施例を適用した場合、−４３ｍＶの誤差電圧は、１０ｔｃの期間の間に幅２ｍＶの範囲に補正される。以下では、このように、誤差電圧が１ステップ当たりの補正量（基本補正量）２ｍＶの範囲に入ることを、「収束する」と言う。
【００９３】
一方、図７において三角で示すグラフに示すように、初期の補正量を２ステップとした場合、収束するまでに１２ｔｃの時間を要する。さらに、四角で示すグラフに示すように、補正量を変えず補正量を１ステップとした場合、収束するまでに２２ｔｃの時間を要する。
【００９４】
このように、本実施例では、調整量に極性反転が生じた場合、すなわち、映像信号生成部２００，３００，４００の出力信号Ｓ１〜Ｓ３が基準信号Ｖｒｅｆ２に到達した場合、単位補正時間内におけるオフセットやゲインの補正量が低減される。そのため、オフセットやゲインの補正精度を十分に高く維持したまま、オフセットやゲインの補正時間、すなわち、図６に示す準備期間を短縮することが可能となる。そのため、表示ムラの抑制を十分かつ速やかに行うことが可能となる。
【００９５】
また、本実施例においては、３チャネルの映像信号生成部２００，３００，４００の出力信号Ｓ１〜Ｓ３をそのまま電圧比較器６０２において比較することにより、オフセットやゲインの補正方向を決定している。そのため、Ａ／Ｄ変換器などを用いて補正量を決定する場合よりも回路規模をより小さくすることができ、映像出力装置１０の装置全体をより簡略化することができる。このように装置全体をより簡略化することにより、装置全体の小型化や１チップ化が容易となる。
【００９６】
また、本実施例では、補正量は、初期の４ステップから、２ステップ、１ステップへと２回にわたって順次低減されていが、補正量の低減回数や低減パターンは、必ずしもこの限りでない。補正量の低減回数は、１以上の任意の回数とすることができる。たとえば、初期補正量を２ステップとし、次に補正量を１ステップとしてもよい。また、補正量を、４ステップから１ステップまで１ステップずつ低減するものとしてもよい。但し、補正量の低減がより容易となる点で、低減後の補正量を低減前の補正量の１／２とするのがより好ましい。特に、本実施例のように、補正量に応じた数のパルスで調整量の補正を行う場合、パルス信号を通過させるフリップフロップ回路の段数を増やすことでパルス数の低減を行うことができるので、低減後の補正量を低減前の補正量の１／２とするのがより好ましい。
【００９７】
本実施例では、このように、補正量の変更を調整量ごとに行うことにより、全ての調整量に極性反転が生じるまで補正を中断することなく補正を行うことができる。そのため、より短い時間で調整量の補正を行うことが可能となる。
【００９８】
Ｂ．変形例：
なお、この発明は上記の実施例や実施形態に限られるものではなく、その要旨を逸脱しない範囲において種々の態様において実施することが可能であり、例えば次のような変形も可能である。
【００９９】
Ｂ１．変形例１：
上記実施例では、液晶ディスプレイ１００は画面を３チャネルに分割して駆動しているが、画面を分割するチャネル数は、２以上の整数であれば任意の数（２，６，１２等）とすることができる。この場合、映像出力装置には、チャネル数に対応した数の映像信号生成部が設けられ、映像出力装置の構成および調整量補正処理の内容はチャネル数に応じて適宜変更される。また、上記各実施例において、液晶ディスプレイの画面の分割方向を水平方向としているが、画面の分割方向を垂直方向とすることもできる。
【０１００】
Ｂ２．変形例２：
上記実施例では、液晶ディスプレイ１００としてノーマリブラック型のものを用いているが、液晶ディスプレイとしてノーマリホワイト型のものを用いることも可能である。この場合、ゲインは、黒色の基準信号が出力されている際に調整され、オフセットは、白色の基準信号が出力されている際に調整される。
【０１０１】
Ｂ３．変形例３：
上記実施例では、調整制御部６００の第２の基準信号発生部６７０が第２の基準信号Ｖｒｅｆ２を出力しているが、複数のチャネルのいずれか１つのチャネルのアナログ映像信号を第２の基準信号として使用することも可能である。この場合、電圧比較器６０２は、基準となるチャネルのアナログ映像信号と、他のチャネルのアナログ映像信号と電圧の高低を比較し、比較出力信号Ｖｃｏｍｐを出力する。例えば、基準となるチャネルをチャネル１とした場合、アナログ映像信号Ｓ１と、アナログ映像信号Ｓ２およびアナログ映像信号Ｓ３から選択された映像信号とが、電圧比較器６０２に入力される。そして、チャネル２およびチャネル３についてオフセットとゲインとの調整が行われる。このようにしても、複数のチャネルの調整レベルを合わせることが可能となる。但し、オフセットとゲインとをより適切な値に調整することが可能である点で、上記実施例の構成を取るのがより好ましい。
【０１０２】
Ｂ４．変形例４：
上記実施例では、図６に示すように、電源オン時の準備期間における調整量補正処理の後、調整量の補正を行っていないが、調整量の補正は、映像の表示が行われない期間であれば適宜行うことができる。例えば、調整量の補正を垂直帰線期間、入力される映像信号の切替時、あるいは、スタンバイモード（待機モード）からの復帰時に行うものとしてもよい。
【０１０３】
なお、準備期間における調整量補正処理の後、垂直帰線期間に調整量の補正を行う場合、調整量に大きな変動はないと考えられ、また垂直帰線期間中に確実に調整を終了させるため、補正量の変更を行わず１ステップの補正を行うのがより好ましい。また、垂直帰線期間のみにおいて、調整量の補正を行うことも可能である。この場合、調整量の補正をより速やかに完了させるため、上記各実施例と同様に、初期補正量を２ステップ以上（例えば、４ステップ）として、上記の補正量調整処理を行うのが好ましい。
【０１０４】
一方、スタンバイモードからの復帰時には、各種レジスタの設定等、映像を表示するための準備作業が行われるため、十分な準備期間をとることができる。また、調整量は、スタンバイモード中に大きく変動あるいは初期化されている可能性がある。そのため、スタンバイモードからの復帰時等においては、初期補正量を２ステップ以上（例えば、４ステップ）として、上記の補正量調整処理を行うのが好ましい。
【０１０５】
Ｂ５．変形例５：
上記実施例では、調整量に極性反転が生じた際に補正量の低減を行っているが、補正量の低減は、必ずしも極性反転が生じた際に行うものとする必要はない。例えば、調整量の補正開始直後の所定期間においては、大きな補正量で調整量を増減し、所定期間経過後には、より小さな補正量で調整量を増減するものとしてもよい。また、電源オン時あるいはスタンバイモードからの復帰時の準備期間においては、大きな補正量で調整量を増減し、垂直帰線期間では、より小さな補正量で調整量を増減するものとしてもよい。一般に、調整量の補正が行われる期間のうち、先の期間の補正量よりも、後の期間の補正量が小さくされれば良い。このようにしても、先の期間においては大きな補正量により調整量が増減され、後の期間においては小さな補正量により調整量が増減されるので、より速やかに調整量を補正するとともに、調整量の補正精度を高くすることが可能となる。但し、大きな補正量で調整量が増減される期間をより短くすることが可能である点で、調整量に極性反転が生じた際に補正量の低減を行うのがより好ましい。
【０１０６】
Ｂ６．変形例６：
上記実施例では、Ｄ／Ａ変換器２１２，３１２，４１２のゲインおよびオフセットを調整することにより、出力信号（アナログ映像信号）Ｓ１〜Ｓ３のレベルを調整する調整量の補正を行っているが、ゲインとオフセットとのいずれか一方だけを補正して調整量の補正を行うものとしてもよい。
【０１０７】
Ｂ７．変形例７：
上記実施例では、Ｄ／Ａ変換器２１２，３１２，４１２のゲインおよびオフセットを補正することにより、出力信号Ｓ１〜Ｓ３のレベルを調整する調整量の補正を行っているが、一般に出力信号Ｓ１〜Ｓ３のレベル調整の調整量を補正することが可能であれば、他の構成をとることも可能である。例えば、アナログ映像信号を入力とするレベル調整部を用いて、出力信号のレベルを調整することも可能である。この場合、ゲインの調整は、アナログ乗算器やプログラマブルゲインアンプ等により行うことができ、オフセットの調整は、オペアンプで構成されたアナログ加算器等により行うことも可能である。
【０１０８】
Ｂ８．変形例８：
上記実施例における、液晶ディスプレイ１００と映像出力装置１０とをプロジェクタに使用することも可能である。液晶ディスプレイ１００をプロジェクタにおいて光を変調する液晶パネルとして使用し、映像出力装置１０から液晶パネルに映像信号を供給することにより、プロジェクタの小型化と投写映像における表示ムラの抑制との両立を図るとともに、映像が表示されるまでの準備期間の短縮、あるいは、調整量の補正精度の向上を図ることが可能となる。
【０１０９】
Ｂ９．変形例９：
上記実施例では、液晶ディスプレイ１００を用いているが、本発明は、映像信号のレベルに応じて個々の画素の光学状態が決定され、一画面を複数のチャネルに分割して駆動する表示装置であれば、任意の表示装置に適用することが可能である。本発明は、例えば、有機ＥＬ（Electro-Luminescence）ディスプレイや、プラズマディスプレイに適用することも可能である。
【０１１０】
また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【０１１１】
【図１】本発明の一実施例としての映像出力装置が接続される液晶ディスプレイの構成を示す回路図。
【図２】液晶ディスプレイが接続される映像出力装置の構成を示す回路図。
【図３】映像出力装置が備える調整制御部の概略構成を示すブロック図。
【図４】調整制御部により実行される調整量補正処理を示すフローチャート。
【図５】ステップＳ６２０において実行される補正実行処理を示すフローチャート。
【図６】調整制御部が調整量補正処理を実行している際の映像出力装置の内部の信号の変化を示すタイミングチャート。
【図７】オフセットを補正することによりアナログ映像信号と第２の基準信号との電圧の差が低減される様子を示す説明図。
【符号の説明】
【０１１２】
１０…映像出力装置
１００…液晶ディスプレイ
１１０…液晶パネル
１１２…走査線
１１４…信号線
１１６…画素電極
１１８…画素ＴＦＴ
１２０…走査線駆動回路
１２２…Ｙ方向走査回路
１３０…信号線駆動回路
１４０…Ｘ方向走査回路
１５０…イネーブル制御部
１５１〜１５ｎ…アンド回路
１６０…プリチャージ駆動回路
１６１〜１６ｎ…オア回路
１７０…走査ＴＦＴ
２００，３００，４００…映像信号生成部
２１０，３１０，４１０…Ｄ／Ａ変換部
２１２，３１２，４１２…Ｄ／Ａ変換器
２１４，３１４，４１４…ゲイン調整部
２１６，３１６，４１６…オフセット調整部
２２０，３２０，４２０…Ｉ−Ｖ変換器
２２２，３２２，４２２…オペアンプ
２２４，３２４，４２４…抵抗
５１０，５２０，５３０…入力切替スイッチ
６００…調整制御部
６０２…電圧比較器
６０４…出力切替スイッチ
６１０…調整モード信号発生部
６２０…チャネル切替信号発生部
６３０…補正信号発生部
６４０…補正量決定部
６５０…極性反転検出部
６６０…第１の基準信号発生部
６７０…第２の基準信号発生部
８００…リセット発生回路
９００…表示タイミング発生部
ＣＬＫ…クロック信号
ＥＮＢＸ…イネーブル信号端子
ＰｒｅＣＨＧ…プリチャージタイミング信号端子
ＶＩＤ１〜ＶＩＤ３…アナログ映像端子
Ｖｓｙｎｃ…垂直同期信号
Ｈｓｙｎｃ…水平同期信号
Ｃａｌ…調整量補正モード信号
Ｖｒｅｆ１…第１の基準信号
Ｖｒｅｆ２…第２の基準信号
ＣＨ１〜ＣＨ３…チャネル指定信号
Ｖ１〜Ｖ３…デジタル映像信号
ＶＣ１〜ＶＣ３…入力信号
Ｓ１〜Ｓ３…アナログ映像信号
Ｓ４…イネーブル信号
Ｓ５…プリチャージタイミング信号
Ｓ６…水平スタート信号
Ｓ７…水平クロック信号
Ｓ８…垂直スタート信号
Ｓ９…垂直クロック信号
Ｓｘ…アナログ映像信号
Ｖｃｏｍｐ…比較出力信号
ＴＧ１〜ＴＧ３…タイミング信号
ＴＯ１〜ＴＯ３…タイミング信号
ＵＰ／ＤＯＷＮ…調整情報
Ｒｅｓｅｔ…リセット信号
Ｖｄｄ…電源電圧
【図１】
2010122577.tif 000003
【図２】
2010122577.tif 000004
【図３】
2010122577.tif 000005
【図４】
2010122577.tif 000006
【図５】
2010122577.tif 000007
【図６】
2010122577.tif 000008
【図７】
2010122577.tif 000009